(57)【要約】【課題】見栄えよく飾りつけることができるしめ飾りを提供する。【解決手段】本考案に係るしめ飾り１０は、しめ縄１２に種々の装飾具を取り付けたしめ飾り１０において、前記装飾具はしめ縄１２の表側および裏側の双方に取り付けられて、表面側および裏面側の双方が飾り面になっていることを特徴とする。【選択図】図１
0003141725.tif 000002
【実用新案登録請求の範囲】
【請求項１】
しめ縄に種々の装飾具を取り付けたしめ飾りにおいて、
前記装飾具はしめ縄の表側および裏側の双方に取り付けられて、表面側および裏面側の双方が飾り面になっていることを特徴とするしめ飾り。
【請求項２】
前記装飾具は、文字表示片を含み、当該文字表示片の表面側および裏面側の双方に文字が表示されていることを特徴とする請求項１記載のしめ飾り。
【請求項３】
前記文字は謹賀新年の文字を含むことを特徴とする請求項２記載のしめ飾り。
【請求項４】
前記文字は交通安全の文字を含むことを特徴とする請求項２記載のしめ飾り。
【請求項５】
前記装飾具は扇飾りを含み、該扇飾りの表裏面双方に装飾が施されていることを特徴とする請求項１〜４いずれか１項記載のしめ飾り。
【請求項６】
前記装飾具は水引飾りを含むことを特徴とする請求項１〜５いずれか１項記載のしめ飾り。
【請求項７】
前記しめ縄は両端側が縛られてリング状をなすことを特徴とする請求項１〜６いずれか１項記載のしめ飾り。
【請求項８】
窓ガラスへの取り付け用の吸盤具を有することを特徴とする請求項１〜７いずれか１項記載のしめ飾り。
【考案の詳細な説明】
【技術分野】
【０００１】
本考案は正月飾りあるいは車内飾りなどに好適なしめ飾りに関する。
【背景技術】
【０００２】
正月飾りなどにしめ飾りが多く用いられている。このしめ飾りは、棒状あるいはリング状に形成したしめ縄（玉飾り）の片面側にウラジロ、ダイダイ、ユズリハ、扇、水引、文字表示片などの各種装飾具を取り付けて形成されている。
そしてしめ飾りには、リング状あるいは吸盤状の取付具が固定され、この取付具により、柱や窓などに取り付けて用いられる。
また、商品として流通される場合は、台紙の入った透明袋内に、装飾具の付いた表面側を表にして収納された状態で流通される。
【非特許文献１】しめ飾り／正月飾り、［online］、［平成２０年２月２１日検索］、インターネット<http//www.hanakobo.info/hk_sk.html>
【考案の開示】
【考案が解決しようとする課題】
【０００３】
しかし、従来の上記しめ飾りには次のような課題があった。
車両用として用いる場合、フロント部分に取り付けるのが一般的であるが、フロント部分から外れてしまいやすく、最近では車内飾りに変わってきている。車内飾りとして窓ガラスに吸盤などで取り付ける場合、しめ飾りに裏表があることから、装飾具のついていない裏面側が外から見えてしまい、体裁が悪いという課題が生じた。また商店の全面ガラス張りのウインドー飾りとして用いる場合も、店の外側からはきれいに見えるが、店の中側からは装飾具の無い裏面側が見えてしまうという課題が生じた。
さらに、包装袋内では、商品の裏面側が見えないように台紙を入れて用いているが、商品を取り出したあとは台紙が不要となり、廃棄処分するなど、資源の無駄となっている課題がある。
そこで、本考案は、上記課題を解決すべくなされたもので、その目的とするところは、見栄えよく飾りつけることができるしめ飾りを提供することにある。
【課題を解決するための手段】
【０００４】
本考案に係るしめ飾りは、しめ縄に種々の装飾具を取り付けたしめ飾りにおいて、前記装飾具はしめ縄の表側および裏側の双方に取り付けられて、表面側および裏面側の双方が飾り面になっていることを特徴とする。
【０００５】
前記装飾具は、文字表示片を含み、当該文字表示片の表面側および裏面側の双方に文字が表示されていることを特徴とする。
【０００６】
前記文字は謹賀新年の文字を含むことを特徴とする。
【０００７】
前記文字は交通安全の文字を含むことを特徴とする。
【０００８】
前記装飾具は扇飾りを含み、該扇飾りの表裏面双方に装飾が施されていることを特徴とする。
【０００９】
前記装飾具は水引飾りを含むことを特徴とする。
【００１０】
前記しめ縄は両端側が縛られてリング状をなすことを特徴とする。
【００１１】
また、窓ガラスへの取り付け用の吸盤具を有することを特徴とする。
【考案の効果】
【００１２】
本考案に係るしめ飾りによれば、装飾具がしめ縄の表側および裏側の双方に取り付けられて、表面側および裏面側の双方が飾り面になっているので、車内の窓ガラスや、全面ガラス張りの商店の窓ガラスに取り付けた場合に、車あるいは商店の内外からきれいに見えるという効果を奏する。また、透明包装袋に収納する場合にも、裏面側を隠すための台紙を用いる必要がないので、資源の無駄も省くことができる。
【考案を実施するための最良の形態】
【００１３】
以下本考案の好適な実施の形態を添付図面に基づき詳細に説明する。
図１はしめ飾り１０の正面図（表面側）、図２は背面図（裏面側）である。
しめ飾り１０は、しめ縄１２に種々の装飾具を取り付けてなり、前記装飾具はしめ縄１２の表側および裏側の双方に取り付けられて、表面側および裏面側の双方が飾り面になっていることを特徴とする。
【００１４】
しめ縄１２は、本実施の形態では、両端側が紐等で縛られてリング状をなしている（すなわち玉飾り）。あるいはしめ縄１２は棒状のままであってもよい（図示せず）。
【００１５】
装飾具はダイダイ、ウラジロ、ユズリハ、水引など種々のものを用いることができ、特に限定はされない。
以下装飾具の例を示す。
図１、２において、１４は文字表示片であり、「謹賀新年」の文字を表示した紙片が表裏面に貼り付けてある。なお、文字は、直接文字表示片１４の表裏面に表示してもよい。この文字は、しめ飾り１０の表面側、裏面側の双方から読み取り可能となっている。
表示する文字は特に限定されるものではなく、車内飾り用として用いる場合には、「交通安全」などと表示すると好適である。
【００１６】
１６は扇飾りであり、この扇飾り１６はその表裏面双方に装飾が施され、この装飾が、しめ飾り１０の表裏面側から視認可能となっている。
【００１７】
１８は水引飾りであり、本実施の形態では、しめ飾り１０の表面側、裏面側にそれぞれ異なる水引飾り１８が取り付けられている。
２０は花飾りである。
その他装飾具は、松飾り、ダイダイ、ウラジロ、ユズリハなど、種々のものを用いることができる。
【００１８】
しめ飾り１０には、柱や窓ガラス等への取付具を設けるとよい。
図１、２のものの例では、リング状の取付具２２を設けている。
【００１９】
図３、図４はしめ飾り１０の他の実施の形態を示すそれぞれ正面図、背面図である。
本実施の形態のしめ飾り１０は、車の車内用のしめ飾りであり、表裏面に種々の装飾具を取り付けているが、文字表示片には「交通安全」の文字を表示し、また、窓ガラスへの取付具として吸盤２４を設けている。
【００２０】
本実施の形態に係るしめ飾りによれば、装飾具がしめ縄１２の表側および裏側の双方に取り付けられて、表面側および裏面側の双方が飾り面になっているので、車内の窓ガラスや、全面ガラス張りの商店の窓ガラスに取り付けた場合に、車あるいは商店の内外からきれいに見える。また、透明包装袋に収納する場合、裏面側にも装飾具が取り付けられているので、裏面側を隠すための台紙を用いる必要がなく、そのまま透明包装袋内に見栄えよく収納できる。
【図面の簡単な説明】
【００２１】
【図１】しめ飾りの正面図である。
【図２】図１に示すしめ飾りの背面図である。
【図３】他の実施の形態のしめ飾りの正面図である。
【図４】図３に示すしめ飾りの背面図である。
【符号の説明】
【００２２】
１０  しめ飾り
１２  しめ縄
１４  文字表示片
１６  扇飾り
１８  水引飾り
２０  花飾り
２２  取付具
２４  吸盤
【図１】
0003141725.tif 000003
【図２】
0003141725.tif 000004
【図３】
0003141725.tif 000005
【図４】
0003141725.tif 000006